Podtech/llm-jp-corpus-v4-ja_patent huggingface dataset:
(57)【要約】      （修正有）【課題】茶葉を収穫した後に大量に廃棄される茶の実の有効な用途を見出だすことを目的とする。【解決手段】茶の実を取り扱う経験から、茶の実由来の有効成分によるものと思しき花粉症症状の緩和、と言う事実を見出だした。これによって茶の実エキスを花粉症対策に利用し得ると言うことを発見して新規な花粉症対策料を得たのである。これまで大量に廃棄されていた茶の実の有効利用が行なえるようになった。【選択図】なし【特許請求の範囲】
【請求項１】
茶の実エキスを鼻孔から体内に吸収させることを特徴とする花粉症対策方法。
【請求項２】
鼻孔に塗布する花粉症対策料であって、茶の実エキスを含有することを特徴とする花粉症対策料。
【請求項２】
鼻孔から吸引する花粉症対策料であって、茶の実エキスを含有することを特徴とする花粉症対策料。
【請求項４】
茶の実の粉砕粒を漉し袋に封入して成る花粉症対策料。
【発明の詳細な説明】
【技術分野】
【０００１】  この発明は茶の実エキスを用いた花粉症対策方法、および茶の実エキスを含有する花粉症対策料に関するものである。
【背景技術】
【０００２】  茶葉は飲用としての長い歴史を有しているが、茶の実はほとんど利用されることなく廃棄されているのが現状である。中には特公平５−５２２８７号のように化粧料に茶の実の含水低級アルコール抽出物を配合したり、特開平５−７６３２５号公報のように人参エキスを含有する飲料に茶の実の抽出物を含有させたりすると言うようなことが提案されているが、その用途は限定的である。
【特許文献１】特公平５−５２２８７号公報
【特許文献２】特開平５−７６３２５号公報
【発明の開示】
【発明が解決しようとする課題】
【０００３】  上述したような事情に鑑みこの発明の目的は、茶の実の有効な用途を見出だすことにある。
【課題を解決するための手段】
【０００４】  当発明者は既に茶の実（種子）を利用した安眠枕の提供を長らく行なって来ているが、その経験の中から茶の実由来の有効成分によるものと思しき花粉症症状の緩和と言う事実を見出だし、茶の実を花粉症対策料として利用し得ると言う発見を行なうことが出来たのである。すなわち上記課題は、茶の実エキスを鼻孔から体内に吸収させることを特徴とする花粉症対策方法を提供することにより達成される。この場合、茶の実エキスを含有する花粉症対策料を鼻孔に塗布するようにしてもよく、また鼻孔から吸引するようにしてもよい。前者では茶の実エキスを含む水状の花粉症対策料を綿棒に染み込ませて鼻孔内に塗布したり、スプレーしたり、また乳液状やクリーム状の花粉症対策料を鼻孔内に塗布するようにすればよい。また後者では茶の実を枕に入れたり、茶の実の粉砕粒を漉し袋に封入して成る花粉症対策料であればこの漉し袋を風呂の湯に浸すなどして、茶の実サポニンなどの有効成分を発散させ、鼻孔から吸引させるようにすればよい。【０００５】  茶の実エキスは茶の実（種子）を殻のまま粉砕し、この粉末からエキスを抽出することが出来る。殻を除去してから粉砕するのでもよい。茶の実エキスの花粉症症状の緩和に役に立つ有効成分としてはサポニン、カテキン、カロチン、オレイン酸等々を上げ得る。茶の実ポリフェノールを大量に吸収すると花粉症によく似た症状が現われるが、その軽い症状（体感はない）が免疫であると言うことが出来るであろう。茶の実ポリフェノール特にサポニンが鼻腔内粘膜を刺激して抗体を作り出すものと思われるが、これが即ち茶の実ポリフェノールによる減感作療法であるものと考え得る。
【発明の効果】
【０００６】  茶の実エキスを花粉症対策に利用し得ると言うことを発見して花粉症対策料を得たのは当発明者が初めてである。これまで大量に廃棄されていた茶の実の有効利用が行なえるようになった。
【発明を実施するための最良の形態】
【０００７】  茶の実を殻のままミルにかけて粉砕し水またはぬるま湯にて抽出すると茶色の抽出物が得られる。こうして得られた花粉症対策料をティッシュペーパーに含ませたり綿棒に染み込ませて鼻孔に塗布する。なお上記抽出エキスにエタノール、竹酢液（木酢液）、銀イオン溶液等々の殺菌効果のあるものを混入したものとしてもよい。またさらに前記花粉症対策料を乳液状、軟膏状に加工することも可能である。【０００８】  次に、茶の実エキスを含浸させた綿棒を密封パックして成る花粉症対策料とすることが出来る。密封パックを破いて綿棒で鼻孔を擦れば、茶の実エキスを鼻から吸収させることが出来る。綿棒にはクリーム状に加工した茶の実エキスを付着させるようにしてもよい。【０００９】  次に、茶の実から殻を取り去り、脱脂したものをミルにかけて粉砕し、得られた粉末を布製の漉し袋に封入して花粉症対策料を得る。これを例えば風呂の湯に浸すと、抽出された茶の実エキスが漉し袋を透過して湯の中に溶け込むと共に、湯気と共に蒸発して鼻や喉や目に吸収されるようになる。あるいは湯の中に溶け込んだ茶の実エキスは皮膚からも吸収され得る。なお漉し袋は紙製のものであってもよく、またティーバックのような形態とすることも可能である。
【産業上の利用可能性】
【００１０】  茶の実の粉砕粒や粉末をマスクの中に入れて、吸気と共に体内へ取り込まれるようにしてもよい。また粉末をガムなどの食品に混入させて、口から体内へ取り込み得るようにすることが出来る。
(57)【要約】      （修正有）【課題】重水素減少水（スーパーライトウォーター）と重水素減少水栄養素を用いて糖液、電解質等を含む高カロリー輸液（ＴＰＮ：Ｔｏｔａｌ  Ｐａｒｅｎｔｅｒａｌ  Ｎｕｔｒｉｔｉｏｎ）の使用方法を提供する。【解決手段】がん、糖尿病、白血病、不眠症の治療および若返り、細胞の活性化、免疫細胞の増加の促進に最適な重水素減少水（スーパーライトウォーター）と重水素減少栄養素を原料とした高カロリー輸液（ＴＰＮ：Ｔｏｔａｌ  Ｐａｒｅｎｔｅｒａｌ  Ｎｕｔｒｉｔｉｏｎ）を体内に点滴で投与し、体内の重水素濃度を低下させることを特徴とするがん、糖尿病、白血病、不眠症の治療および若返り、細胞の活性化、免疫細胞の増加の促進方法。【選択図】なし【特許請求の範囲】
【請求項１】
重水素濃度が１３０ｐｐｍ以下の含有量の水と栄養素を有し、担体又は助剤と共に、製薬学的な製品或いは医薬溶液の形での、ヒトに適する溶液である、重水素減少水（スーパーライトウォーター）と重水素栄養素を原料とした高カロリー輸液（ＴＰＮ：Ｔｏｔａｌ  Ｐａｒｅｎｔｅｒａｌ  Ｎｕｔｒｉｔｉｏｎ）を経口や経管での水分や栄養摂取が不能又は不十分な患者への栄養補給と治療を目的として使用する。
【請求項２】
体内の重水素濃度が１３０ｐｐｍ以下になると、細胞の反応速度が速くなり、新陳代謝が高まるため、重水素減少水（スーパーライトウォーター）と重水素栄養素を原料とした高カロリー輸液（ＴＰＮ：Ｔｏｔａｌ  Ｐａｒｅｎｔｅｒａｌ  Ｎｕｔｒｉｔｉｏｎ）を中心静脈や他の静脈より投点滴で与することにより、体内の糖質、脂質、タンパク質、電解質、微量元素、ビタミン類の栄養素が補給され、体内の重水素濃度を低下させ新陳代謝を高め、ＮＫ細胞などの活性値を高めがん細胞など異常細胞を壊死させる。
【発明の詳細な説明】
【技術分野】
【０００１】  本発明は、経口や経管での水分や栄養摂取が不能又は不十分な患者への栄養補給を目的として使用される。【０００２】  重水素減少水（スーパーライトウォーター）を原料とした重水素栄養素を原料とした高カロリー輸液（ＴＰＮ：Ｔｏｔａｌ  Ｐａｒｅｎｔｅｒａｌ  Ｎｕｔｒｉｔｉｏｎ）を中心静脈や他の静脈より点滴で投与することによって行うものである。
【背景技術】
【０００３】  従来、高カロリー輸液（ＴＰＮ：Ｔｏｔａｌ  Ｐａｒｅｎｔｅｒａｌ  Ｎｕｔｒｉｔｉｏｎ）には、糖液、電解質等を含む糖液製剤であり、経口や経管での水分や栄養摂取が不能又は不十分な患者への栄養補給を目的として使用される。【０００４】  通常の輸液に比して糖質や脂質やタンパク質やビタミンや電解質や微量元素類が多く含まれていることから高カロリー輸液と称され中心静脈より投与されている。【０００５】  経口摂取・経管栄養が不可能な場合で栄養管理が必要な場合に、確実に栄養を補給する目的で行われる。【０００６】  一般に、経口摂取のできない人に対しては、経口や経管での水分や栄養摂取が不能又は不十分な患者への栄養補給を目的として使用されていたが、末期がん患者や重症患者や難病の人達に十分な成果は得られていない。
【発明の開示】
【発明が解決しようとする課題】
【０００７】  しかしながら現実において、従来の治療や健康食品による体質改善が治療として成果が上がらないことがあり、ＤＮＡの複製に失敗した異常細胞は、シミ、血管種であるあざ、いぼ、しわ、老人班、癌、糖尿病の原因となり、ベ−ター細胞の複製失敗細胞は、体内のあらゆる細胞の複製失敗細胞を作り出す。
【課題を解決するための手段】
【０００８】  本発明者等は係る課題を解決するために鋭意研究したところ、がん、糖尿病、白血病、不眠症の治療および若返り、細胞の活性化、免疫細胞の増加の促進のための重水素減少水（スーパーライトウォーター）と重水素減少栄養素を原料とした高カロリー輸液（ＴＰＮ：Ｔｏｔａｌ  Ｐａｒｅｎｔｅｒａｌ  Ｎｕｔｒｉｔｉｏｎ）を人に点滴で投与することにより本発明を提供するものである。【０００９】  すなわち本発明はがん、糖尿病、白血病、不眠症の治療および若返り、細胞の活性化、免疫細胞の増加の促進に最適な重水素減少水（スーパーライトウォーター）と重水素減少栄養素を原料とした高カロリー輸液（ＴＰＮ：Ｔｏｔａｌ  Ｐａｒｅｎｔｅｒａｌ  Ｎｕｔｒｉｔｉｏｎ）を体内に投与し、体内の重水素濃度を低下させることを特徴とするがん、糖尿病、白血病、不眠症の治療および若返り、細胞の活性化、免疫細胞の増加の促進方法である。【００１０】  また、新陳代謝が活発になるとホルモンの分泌が良くなり、脳内ホルモン（メラトニン）が分泌され深い良質の睡眠が取れる、睡眠によりＮＫ細胞が増加し異常細胞を除去して正常細胞を複製し若返る。【００１１】  高カロリー輸液（ＴＰＮ：Ｔｏｔａｌ  Ｐａｒｅｎｔｅｒａｌ  Ｎｕｔｒｉｔｉｏｎ）の投与は、当人が病院や診療所に直接行って治療を受けることが可能である。
【発明の効果】
【００１２】  以上説明したように、本発明によれば重水素濃度１３０ｐｐｍ以下の重水素減少水（スーパーライトウォーター）と重水素減少栄養素を原料とした高カロリー輸液（ＴＰＮ：Ｔｏｔａｌ  Ｐａｒｅｎｔｅｒａｌ  Ｎｕｔｒｉｔｉｏｎ）を中心静脈からの投与することにより、体内の重水素濃度を低下させる。【００１３】  すなわち、重水素減少水と重水素減少栄養素を原料とした高カロリー輸液（ＴＰＮ：Ｔｏｔａｌ  Ｐａｒｅｎｔｅｒａｌ  Ｎｕｔｒｉｔｉｏｎ）を中心静脈より投与すると、体内の重水素濃度を低下させ細胞の新陳代謝が高まり、ＮＫ細胞などでがん細胞を壊死させることが可能となり異常細胞の消滅が見られる。【００１４】  また、新陳代謝が高まることにより若返り、細胞の活性化、免疫細胞の増加の促進に効果がある。
【発明を実施するための最良の形態】
【００１５】  本発明は重水素減少水（スーパーライトウォーター）重水素減少水と重水素減少栄養素を原料とした高カロリー輸液（ＴＰＮ：Ｔｏｔａｌ  Ｐａｒｅｎｔｅｒａｌ  Ｎｕｔｒｉｔｉｏｎ）を点滴で体内に注入しより効果的に体内の重水濃度を低下させる。【００１６】  体内の重水素濃度が１３０ｐｐｍ以下になると、新陳代謝が高まり化学反応の促進や分解が起こる。がん細胞は、活性値の増大したＮＫ細胞で壊死させることになる。【００１７】  新陳代謝が高まることにより若返り、細胞の活性化、免疫細胞の増加の促進の効果がある。